(57)【要約】【課題】テレビのＣＲＴフォーカス制御装置及び方法に係り、特に３管式投射光学系を使用するテレビにてＲ／Ｇ／Ｂ　ＣＲＴを個別的にデジタル方式によりフォーカス制御するＣＲＴフォーカス補正装置及び方法を提供する。【解決手段】３管式光学系を有する映像処理システムにおいて、画面位置別にＲ／Ｇ／Ｂ　ＣＲＴそれぞれのフォーカス補正データを貯蔵するメモリ、同期信号により画面位置別に前記メモリからＲ／Ｇ／Ｂ　ＣＲＴそれぞれのフォーカス補正データを読み込んで出力するための制御部及び前記メモリから読み込んだＲ／Ｇ／Ｂ　ＣＲＴそれぞれのフォーカス補正データを演算し、Ｒ／Ｇ／Ｂフォーカスコイルに印加するそれぞれのＲ／Ｇ／Ｂアナログフォーカス補正信号を生成するためのＲ／Ｇ／Ｂフォーカス補正信号生成部を含むことを特徴とするＣＲＴフォーカス補正装置。【選択図】　　　図４
2004048758.tif 000002
【特許請求の範囲】
【請求項１】
３管式光学系を有する映像処理システムにおいて、
画面位置別に、Ｒ／Ｇ／Ｂ陰極線管（ＣＲＴ）それぞれのフォーカス補正データを貯蔵するメモリと、
水平及び垂直同期信号により、画面位置別に前記メモリからＲ／Ｇ／Ｂ　ＣＲＴそれぞれのフォーカス補正データを読み込んで出力するための制御部と、
前記メモリから読み込んだＲ／Ｇ／Ｂ　ＣＲＴそれぞれのフォーカス補正データを演算し、Ｒ／Ｇ／Ｂフォーカスコイルに印加するそれぞれのＲ／Ｇ／Ｂアナログフォーカス補正信号を生成するためのＲ／Ｇ／Ｂフォーカス補正信号生成部とを含むことを特徴とするＣＲＴフォーカス補正装置。
【請求項２】
前記メモリに貯蔵された前記フォーカス補正データは画面上の所定数のシードポイントで決定されたフォーカス補正シードデータであることを特徴とする請求項１に記載のＣＲＴフォーカス補正装置。
【請求項３】
前記フォーカス補正データは、前記水平同期信号に同期されるフォーカス補正データ及び前記垂直同期信号に同期されるフォーカス補正データを含むことを特徴とする請求項１に記載のＣＲＴフォーカス補正装置。
【請求項４】
前記Ｒ／Ｇ／Ｂフォーカス補正信号生成部は、
前記メモリから読み込んだＲ／Ｇ／Ｂ　ＣＲＴそれぞれのフォーカス補正シードデータを所定の補間演算式により演算し、画面の位置別に、水平同期されたフォーカス補正データと垂直同期されたフォーカス補正データとを合成演算し、Ｒ／Ｇ／Ｂ　ＣＲＴそれぞれのフォーカス補正データを算出するためのＲ／Ｇ／Ｂフォーカス演算回路と、
前記Ｒ／Ｇ／Ｂフォーカス演算回路から出力されるＲ／Ｇ／Ｂ　ＣＲＴそれぞれのフォーカス補正データを、アナログ信号に変換するためのデジタル／アナログ変換回路と、
前記デジタル／アナログ変換回路で変換されたＲ／Ｇ／Ｂ　ＣＲＴそれぞれのアナログフォーカス補正信号を前記Ｒ／Ｇ／Ｂフォーカスコイルに印加する電圧に増幅するための増幅回路とを含むことを特徴とする請求項１に記載のＣＲＴフォーカス補正装置。
【請求項５】
前記Ｒ／Ｇ／Ｂフォーカス演算回路は、
前記メモリから読み込んだＲ／Ｇ／Ｂ　ＣＲＴそれぞれの水平／垂直同期されたフォーカス補正シードデータを補間演算するＲ／Ｇ／Ｂ　ＣＲＴフォーカス補間演算部と、
前記それぞれのＲ／Ｇ／Ｂ　ＣＲＴフォーカス補間演算部で演算された水平／垂直同期されたフォーカス補正シードデータをノイズフィルタリングするためのＲ／Ｇ／Ｂフィルタと、
前記Ｒ／Ｇ／Ｂフィルタから出力されるＲ／Ｇ／Ｂ　ＣＲＴそれぞれの水平同期されたフォーカス補正データと垂直同期されたフォーカス補正データとを合成して出力するためのＲ／Ｇ／Ｂ合成部とを含むことを特徴とする請求項４に記載のＣＲＴフォーカス補正装置。
【請求項６】
前記Ｒ／Ｇ／Ｂフォーカス補正信号生成部は、
前記メモリから読み込んだＲ／Ｇ／Ｂ　ＣＲＴそれぞれの水平同期されたフォーカス補正データと垂直同期されたフォーカス補正データとを合成演算し、Ｒ／Ｇ／Ｂ　ＣＲＴそれぞれのフォーカス補正データを算出するためのＲ／Ｇ／Ｂフォーカス演算回路と、
前記Ｒ／Ｇ／Ｂフォーカス演算回路から出力されるＲ／Ｇ／Ｂ　ＣＲＴそれぞれのフォーカス補正データを、アナログ信号に変換するためのデジタル／アナログ変換回路と、
前記デジタル／アナログ変換回路で変換されたＲ／Ｇ／Ｂ　ＣＲＴそれぞれのアナログフォーカス補正信号を前記Ｒ／Ｇ／Ｂフォーカスコイルに印加する電圧に増幅するための増幅回路とを含むことを特徴とする請求項１に記載のＣＲＴフォーカス補正装置。
【請求項７】
前記Ｒ／Ｇ／Ｂフォーカス演算回路は、
前記メモリから読み込んだ水平／垂直同期されたフォーカス補正データをノイズフィルタリングするためのＲ／Ｇ／Ｂフィルタと、
前記Ｒ／Ｇ／Ｂフィルタから出力されるＲ／Ｇ／Ｂ　ＣＲＴそれぞれの水平同期されたフォーカス補正データと垂直同期されたフォーカス補正データとを合成して出力するためのＲ／Ｇ／Ｂ合成部とを含むことを特徴とする請求項６に記載のＣＲＴフォーカス補正装置。
【請求項８】
３管式光学系を有する映像処理システムのフォーカス補正方法において、
（ａ）画面位置別に、Ｒ／Ｇ／Ｂ　ＣＲＴそれぞれのフォーカス補正データを決定してメモリに貯蔵する段階と、
（ｂ）水平及び垂直同期信号により、画面位置別に前記メモリからＲ／Ｇ／ＢＣＲＴそれぞれのフォーカス補正データを読み込む段階と、
（ｃ）前記段階（ｂ）から読み込んだＲ／Ｇ／Ｂ　ＣＲＴそれぞれのフォーカス補正データを所定の演算式に適用し、Ｒ／Ｇ／Ｂ　ＣＲＴそれぞれのフォーカスコイルに印加するパラボラフォーカス補正信号を生成する段階とを含むことを特徴とするＣＲＴフォーカス補正方法。
【請求項９】
前記メモリに貯蔵された前記フォーカス補正データは画面上の所定数のシードポイントで決定されたフォーカス補正シードデータであることを特徴とする請求項８に記載のＣＲＴフォーカス補正方法。
【請求項１０】
前記フォーカス補正データは、上記水平同期信号に同期されるフォーカス補正データ及び上記垂直同期信号に同期されるフォーカス補正データを含むことを特徴とする請求項８に記載のＣＲＴフォーカス補正方法。
【請求項１１】
前記段階（ｃ）は、前記段階（ｂ）から読み込んだＲ／Ｇ／Ｂ　ＣＲＴそれぞれの水平同期信号に同期されるフォーカス補正データ及び垂直同期信号に同期されるフォーカス補正データを合成し、合成されたフォーカス補正データにより、Ｒ／Ｇ／Ｂ　ＣＲＴそれぞれのフォーカスコイルに印加するパラボラフォーカス補正信号を生成することを特徴とする請求項８に記載のＣＲＴフォーカス補正方法。
【請求項１２】
前記段階（ｃ）は前記段階（ｂ）から読み込んだＲ／Ｇ／Ｂ　ＣＲＴそれぞれの水平同期信号に同期されるフォーカス補正シードデータ及び垂直同期信号に同期されるフォーカス補正シードデータをそれぞれ補間演算し、補間演算された水平同期信号に同期されるフォーカス補正データと垂直同期信号に同期されるフォーカス補正データとを合成し、合成されたフォーカス補正データでＲ／Ｇ／Ｂ　ＣＲＴそれぞれのフォーカスコイルに印加するパラボラフォーカス補正信号を生成することを特徴とする請求項８に記載のＣＲＴフォーカス補正方法。
【発明の詳細な説明】
【０００１】
【発明の属する技術分野】
本発明はテレビのＣＲＴ（陰極線管）フォーカス制御装置及び方法に係り、特に３管式投射光学系を使用するテレビにてＲ／Ｇ／Ｂ　ＣＲＴを個別的にデジタル方式により、フォーカス制御するＣＲＴフォーカス補正装置及び方法に関する。
【０００２】
【従来の技術】
３管式投射光学系を使用するプロジェクションテレビまたはビームプロジェクタテレビはレッド（Ｒ）、グリーン（Ｇ）、ブルー（Ｂ）カラーのイメージをディスプレイしてスクリーン画面に投影させるそれぞれのＣＲＴを備える。ところで、図１に示すようにＲ／Ｇ／Ｂ　ＣＲＴ１１０Ａ、１１０Ｂ、および、１１０Ｃからミラー１２０を介したスクリーン１００までの距離及び投射角度は、スクリーン１００の位置により相異する。それにより、スクリーン画面に位相歪が発生するが、それを解決するために開発された技術がＣＲＴフォーカス補正装置である。
【０００３】
図３に示すように、従来の技術によるＣＲＴフォーカス補正装置は、積分回路１および２　３１０、３２０、合成部３３０及び増幅器３４０より構成される。
【０００４】
積分回路１　３１０及び積分回路２　３２０により、単純に水平同期信号Ｈ＿Ｓｙｎｃ及び垂直同期信号Ｖ＿Ｓｙｎｃをそれぞれ積分した後、合成部３３０で積分回路１、２　３１０、３２０の出力信号を合成してパラボラ波形を生成する。合成部３３０から出力されるパラボラ波形のフォーカス補正信号は増幅器３４０で増幅された後で共通的にＲ／Ｇ／Ｂ　ＣＲＴのフォーカスコイルに印加され、ＣＲＴフォーカスを補正した。
【０００５】
しかし、図１に示すように、Ｒ／Ｇ／Ｂ　ＣＲＴ１１０Ａ、１１０Ｂ、１１０Ｃのスクリーン１００からの位置により、それぞれの投射距離及び角度が同一ではなく、Ｒ／Ｇ／Ｂ　ＣＲＴ　１１０Ａ、１１０Ｂ、１１０Ｃにより出力される像はそれぞれ図２ＡないしＣに示すように異なって歪曲される。
【０００６】
それにより、従来の技術によるＣＲＴフォーカス補正装置によれば、Ｒ／Ｇ／Ｂ　ＣＲＴ１１０Ａ、１１０Ｂ、１１０Ｃのスクリーン１００間からの位置により、それぞれの投射距離及び角度が同一ではないにもかかわらず、Ｒ／Ｇ／Ｂ　ＣＲＴを単一のパラボラ波形のフォーカス補正信号を利用して一律的にＣＲＴフォーカス補正を実行することにより、正確なＣＲＴフォーカス制御を実行できない問題点があった。また、従来の技術のようなアナログ方式によれば、積分回路の時定数によりフォーカス制御に使われるパラボラ波形が変化するが、それによりスクリーンの位置別に細部的に正確にフォーカス補正を実行できない問題点が生じた。
【０００７】
一般的に、ＣＲＴフォーカス補正は、前述の回路的な補正と光学系の補正とを共に適用して実行するが、回路的な補正量が少ないかあるいは不正確な場合には、光学系でさらに精密にフォーカスを補正しなければならない。それにより、従来の技術によるプロジェクションテレビの光学系は、回路的ＣＲＴフォーカス補正が不十分であることを補充するためにさらに多数のレンズを必要とし、また各レンズは精密な曲率を有する必要があるので光学系の構造が複雑になり、資材コストが高まる問題点があった。
【０００８】
【発明が解決しようとする課題】
本発明がなそうとする技術的課題は前述の問題点を解決するために、３管式投射光学系を使用するテレビにて、Ｒ／Ｇ／Ｂ　ＣＲＴを個別的にデジタル方式によりフォーカス制御して光学系の構造を単純化させるためのＣＲＴフォーカス補正装置及び方法を提供するところにある。
【０００９】
【課題を解決するための手段】
前記技術的課題を達成するために本発明によるＣＲＴフォーカス補正装置は、３管式光学系を有する映像処理システムにおいて、画面位置別にＲ／Ｇ／Ｂ　ＣＲＴそれぞれのフォーカス補正データを貯蔵するメモリ、同期信号により画面位置別に前記メモリからＲ／Ｇ／Ｂ　ＣＲＴそれぞれのフォーカス補正データを読み込んで出力するための制御部及び前記メモリから読み込んだＲ／Ｇ／Ｂ　ＣＲＴそれぞれのフォーカス補正データを演算し、Ｒ／Ｇ／Ｂフォーカスコイルに印加するそれぞれのＲ／Ｇ／Ｂアナログフォーカス補正信号を生成するためのＲ／Ｇ／Ｂフォーカス補正信号生成部を含むことを特徴とする。
【００１０】
前記他の技術的課題を達成するために本発明によるＣＲＴフォーカス補正方法は、３管式光学系を有する映像処理システムのフォーカス補正装置方法において、（ａ）画面位置別にＲ／Ｇ／Ｂ　ＣＲＴそれぞれのフォーカス補正データを決定してメモリに貯蔵する段階、（ｂ）同期信号により、画面位置別に前記メモリからＲ／Ｇ／Ｂ　ＣＲＴそれぞれのフォーカス補正データを読み込む段階及び（ｃ）前記段階（ｂ）から読み込んだＲ／Ｇ／Ｂ　ＣＲＴそれぞれのフォーカス補正データを所定の演算式に適用し、Ｒ／Ｇ／Ｂ　ＣＲＴそれぞれのフォーカスコイルに印加するパラボラフォーカス補正信号を生成する段階を含むことを特徴とする。
【００１１】
【発明の実施の形態】
以下、添付された図面を参照して本発明の望ましい実施例を詳細に説明する。
【００１２】
図４に示すように、本発明によるＣＲＴフォーカス補正装置が適用されるプロジェクションテレビは、アンテナ４０１、チューナ４０２、映像／音声信号検波回路４０３、音声信号処理部４０４、スピーカ４０５、映像信号処理部４０６、Ｒ／Ｇ／Ｂ　ＣＲＴ４０７、４０８、４０９、制御部４１０、メモリ４１１、同期偏向部４１２、Ｒ／Ｇ／Ｂフォーカス補正信号生成部４１３及びキー入力部４１４を備える。
【００１３】
Ｒ／Ｇ／Ｂ　ＣＲＴ４０７、４０８、４０９は、それぞれフォーカスコイル４０７Ａ、４０８Ａ、４０９Ａ及び偏向コイル４０７Ｂ、４０８Ｂ、４０９Ｂを有する。
【００１４】
まず、テレビの基本的な動作を述べれば次の通りである。キー入力部４１４のキーボタンを利用してＴＶの電源をオンにした後、視聴しようとするチャンネルを選択すれば、制御部４１０は選択されたチャンネルを選局するためのチャンネル制御信号を生成する。制御部４１０で生成されたチャンネル制御信号により、チューナ４０２では、アンテナ４０１を通じて受信される放送信号のうちからユーザが設定したチャンネルの放送信号だけを選択して出力する。それにより、映像／音声信号検波回路４０３では、チューナ４０２から入力される放送信号から音声信号及び映像信号を検波し、それぞれ音声信号処理部４０４及び映像信号処理部４０６に出力する。音声信号処理部４０４では、ノイズ除去及び周波数特性補償などの信号処理を実行した後でスピーカ４０５に出力する。そして、映像信号処理部４０６では、ノイズ除去、ガンマ補正などの信号処理を実行した後で、最終的にＲ／Ｇ／Ｂ規格の信号に変換してそれぞれＲ／Ｇ／Ｂ　ＣＲＴ４０７、４０８、４０９に出力する。Ｒ／Ｇ／Ｂ　ＣＲＴ４０７、４０８、４０９から出力される電子ビームは、同期偏向部４１２から生成された偏向電圧により偏向されてスクリーン（図示せず）に投射される。この時、Ｒ／Ｇ／Ｂフォーカス補正信号生成部４１３から生成されるフォーカス補正信号がＲ／Ｇ／Ｂフォーカスコイル４０７Ａ、４０８Ａ、４０９Ａに印加されてＣＲＴフォーカスを補正する。
【００１５】
では、本発明によるＣＲＴフォーカス補正動作を細部的に述べる。まず、メモリ４１１には画面位置別にＲ／Ｇ／Ｂ　ＣＲＴ４０７、４０８、４０９それぞれのフォーカス補正データが貯蔵される。このフォーカス補正データは水平同期信号に同期されるフォーカス補正データ及び垂直同期信号に同期されるフォーカス補正データを含む。
【００１６】
メモリ４１１に画面全位置の画素でのフォーカス補正データを貯蔵できるが、特定シードポイントでのフォーカス補正データだけを貯蔵し、フォーカス補正シードデータを利用して画面の全ポイントでのフォーカス補正データを演算することがメモリの容量を減らすのに効果的である。本発明の一実施例では、シードポイントでの補正データを利用してＣＲＴフォーカスを補正する技術を適用した。
【００１７】
制御部４１０は、映像信号処理部４０６から出力される水平同期信号Ｈ＿Ｓｙｎｃ及び垂直同期信号Ｖ＿Ｓｙｎｃが入力され、水平同期信号により、画面位置別に水平同期されるＲ／Ｇ／Ｂ　ＣＲＴそれぞれのフォーカス補正データ、及び、垂直同期信号により、画面位置別に垂直同期されるＲ／Ｇ／Ｂ　ＣＲＴそれぞれのフォーカス補正データを、メモリ４１１から読み込んでＲ／Ｇ／Ｂフォーカス補正信号生成部４１３に出力する。
【００１８】
次に、Ｒ／Ｇ／Ｂフォーカス補正信号生成部４１３の動作を、図５を参照して説明する。
【００１９】
図５に示すように、Ｒ／Ｇ／Ｂフォーカス補正信号生成部４１３は細部的にＲ／Ｇ／Ｂ　ＣＲＴフォーカス補間演算部５０１、５０２、５０３、フィルタ２、３　５０４、５０５、５０６、合成部５０７、５０８、５０９、デジタル／アナログ変換部（ＤＡＣ）１、２、および３　５１０、５１１、および５１２、及び、増幅部（ＡＭＰ）１、２、および３　５１３、５１４、および５１５を備える。
【００２０】
Ｒ／Ｇ／Ｂ　ＣＲＴフォーカス補間演算部５０１、５０２、５０３には、それぞれ水平同期信号Ｈ＿Ｓｙｎｃ及び垂直同期信号Ｖ＿Ｓｙｎｃが印加され、制御部４１０によりメモリ４１１から読み込んだそれぞれの水平／垂直同期されるフォーカス補正シードデータＤａｔａ＿Ｒｃｔｌ、Ｄａｔａ＿Ｇｃｔｌ、Ｄａｔａ＿Ｂｃｔｌが入力される。
【００２１】
Ｒ／Ｇ／Ｂ　ＣＲＴフォーカス補間演算部５０１、５０２、５０３は、入力される水平／垂直同期されるフォーカス補正シードデータＤａｔａ＿Ｒｃｔｌ、Ｄａｔａ＿Ｇｃｔｌ、Ｄａｔａ＿Ｂｃｔｌを所定の補間演算式により演算して画面の全位置での水平／垂直フォーカス補正データをそれぞれ算出する。所定の補間演算式は一例として平均補間演算式を利用できる。
【００２２】
画面の全画素でのフォーカス補正データがメモリ４１１に貯蔵されるように設計した場合には、Ｒ／Ｇ／Ｂ　ＣＲＴフォーカス補間演算部５０１、５０２、５０３を削除して、直接、フィルタ１、２、および３　５０４、５０５、および５０６にメモリ４１１から読み込んだ水平／垂直同期されるフォーカス補正データが入力される。
【００２３】
それにより、フィルタ１、２、および３　５０４、５０５、および５０６では、入力されるＲ／Ｇ／Ｂ　ＣＲＴそれぞれの水平／垂直フォーカス補正データからノイズを除去するフィルタリングを実行する。
【００２４】
そして、フィルタ１、２、および３　５０４、５０５、および５０６では、出力されるそれぞれの水平及び垂直フォーカス補正データをそれぞれの合成部５０７、５０８、５０９で合成する。
【００２５】
合成されたＲ／Ｇ／Ｂ　ＣＲＴそれぞれのフォーカス補正データは、それぞれのＤＡＣ１、２、および３　５１０、５１１、および５１２でそれぞれアナログ信号に変換される。そして、ＡＭＰ１、２、および３　５１３、５１４、および５１５ではアナログ信号に変換されたＲ／Ｇ／Ｂ　ＣＲＴそれぞれのフォーカス補正信号を増幅し、最終的にＲ／Ｇ／Ｂ　ＣＲＴのそれぞれのフォーカスコイル４０７Ａ、４０８Ａ、４０９Ａに印加されるＲ／Ｇ／Ｂダイナミックフォーカス補正信号Ｒ＿Ｄ／Ｆ、Ｇ＿Ｄ／Ｆ、Ｂ＿Ｄ／Ｆを生成する。
【００２６】
かような回路構成により、３管式投射光学系を使用するテレビにてＲ／Ｇ／ＢＣＲＴを個別的にデジタル方式により、フォーカスを補正できる。
【００２７】
次に、本発明によるＣＲＴフォーカス補正方法を説明すれば次の通りである。まず、画面位置別にＲ／Ｇ／Ｂ　ＣＲＴそれぞれのフォーカス補正データを決定してメモリに貯蔵する第１プロセスを実行する。
【００２８】
次に、第１プロセスによりデザインされたメモリにアクセスし、水平及び垂直同期信号により画面位置別にＲ／Ｇ／Ｂ　ＣＲＴそれぞれのフォーカス補正データを読み込む第２プロセスを実行する。
【００２９】
そして、第２プロセスで読み込んだＲ／Ｇ／Ｂ　ＣＲＴそれぞれのフォーカス補正データを補間演算し、垂直同期されるフォーカス補正データと水平同期されるフォーカス補正データとを合成する第３プロセスを実行する。
【００３０】
最後に、第３プロセスで出力される水平／垂直合成されたＲ／Ｇ／Ｂ　ＣＲＴそれぞれのフォーカス補正データをアナログ信号に変換し、Ｒ／Ｇ／Ｂ　ＣＲＴそれぞれのフォーカスコイルに印加するパラボラフォーカス補正信号を生成する第４プロセスを実行する。
【００３１】
かような第１、２、３、４プロセスの構成により、デジタル方式でＲ／Ｇ／ＢＣＲＴをそれぞれ独立的にフォーカス制御できる。画面の全画素でのフォーカス補正データをメモリに貯蔵させるように設計した場合には、第３プロセスでの補間演算を省略する。
【００３２】
本発明により、Ｒ／Ｇ／Ｂ　ＣＲＴをそれぞれ独立的にデジタル方式でフォーカス制御することにより、光学系のレンズ構成を次の通り画期的に簡素化することができる。
【００３３】
すなわち、図６Ｂに示すように、従来のアナログ方式により統合的にＲ／Ｇ／Ｂ　ＣＲＴのフォーカスを制御するフォーカス制御装置が適用されるプロジェクションテレビの光学系は、パワーレンズＬ３を含めて、色収差を補正するために少なくとも５つのレンズを必要とした。そして、各レンズは高精度に加工しなければならなかった。
【００３４】
これに比べて本発明によれば、回路的に精密にＣＲＴフォーカスを補正することにより、光学系で補正するフォーカス補正の程度を緩和し、レンズの曲率形状を単純化できるようになった。また、パワーレンズＬ３を含めて色収差を補正するために３つのレンズだけ使用しても従来の技術以上の性能でフォーカスを補正できる。それにより、本発明が適用されるプロジェクションテレビの光学系は従来の技術に比べてレンズ枚数を減らせる。
【００３５】
【発明の効果】
前述の如く本発明によれば、デジタル方式によりＲ／Ｇ／Ｂ　ＣＲＴを個別的にフォーカスを補正することにより、画面の位置別に細部的に精密にフォーカスを補正できる効果が生じ、従来の技術に比べて光学系を構成するレンズの枚数を減らせる効果が生じ、それだけではなくレンズの曲率形状を単純化できてレンズ加工が容易になる効果が生じる。
【００３６】
本発明は方法、装置、システムとして実行されうる。ソフトウエアで実行される場合、本発明の構成手段は、必然的に必要な作業を実行するコードセグメントである。プログラムまたはコードセグメントは、プロセッサ可読媒体に貯蔵され、あるいは伝送媒体または通信網で搬送波と結合されたコンピュータデータ信号により伝送されうる。プロセッサ可読媒体は、情報を貯蔵または伝送できるいかなる媒体も含む。プロセッサ可読媒体の例としては、電子回路、半導体メモリ素子、ＲＯＭ、フラッシュメモリ、Ｅ２ＰＲＯＭ、フロッピー（登録商標）ディスク、光ディスク、ハードディスク、光ファイバ媒体、無線周波数（ＲＦ）網などがある。コンピュータデータ信号は電子網チャンネル、光ファイバ、空気、電子系、ＲＦ網のような伝送媒体上に伝送できるいかなる信号も含まれる。
【００３７】
添付された図面に示し説明した特定の実施例は、単に本発明の例として理解され、本発明の範囲を限定せずに本発明が属する技術分野で本発明に記述された技術的思想の範囲でも多様な他の変更が生じうるので、本発明は図示および記述された特定の構成及び配列に制限されないことは自明である。
【図面の簡単な説明】
【図１】一般的なプロジェクションテレビの陰極線管及びスクリーンの構造を示した図である。
【図２Ａ】図１に示すＲ／Ｇ／Ｂ　ＣＲＴによりスクリーンに投射される画面の状態を示した図である。
【図２Ｂ】図１に示すＲ／Ｇ／Ｂ　ＣＲＴによりスクリーンに投射される画面の状態を示した図である。
【図２Ｃ】図１に示すＲ／Ｇ／Ｂ　ＣＲＴによりスクリーンに投射される画面の状態を示した図である。
【図３】従来の技術によるＣＲＴフォーカス補正装置の構成図である。
【図４】本発明によるＣＲＴフォーカス補正装置が適用されたプロジェクションテレビの回路構成図である。
【図５】図４に示すＲ／Ｇ／Ｂフォーカス補正信号生成部の細部回路構成図である。
【図６Ａ】本発明に適用される光学系の構成図である。
【図６Ｂ】従来の技術に適用される光学系の構成図である。
【符号の説明】
４０１　アンテナ
４０２　チューナ
４０３　映像／音声信号検波回路
４０４　音声信号処理部
４０５　スピーカ
４０６　映像信号処理部
４０７、４０８、４０９　Ｒ／Ｇ／Ｂ　ＣＲＴ
４０７Ａ、４０８Ａ、４０９Ａ　フォーカスコイル
４０７Ｂ、４０８Ｂ、４０９Ｂ　偏向コイル
４１０　制御部
４１１　メモリ
４１２　同期偏向部
４１３　Ｒ／Ｇ／Ｂフォーカス補正信号生成部
４１４　キー入力部
【図１】
2004048758.tif 000003
【図２Ａ】
2004048758.tif 000004
【図２Ｂ】
2004048758.tif 000005
【図２Ｃ】
2004048758.tif 000006
【図３】
2004048758.tif 000007
【図４】
2004048758.tif 000008
【図５】
2004048758.tif 000009
【図６Ａ】
2004048758.tif 000010
【図６Ｂ】
2004048758.tif 000011